(57)【要約】  【課題】外観のバリエーションを多様化でき、かつ見た目のよい食器洗い機用扉およびこれを備えた食器洗い機を提供する。  【解決手段】上扉４の本体４１の前面側を、透明カバー４２により覆う。透明カバー４２と本体４１（外面板４４）との間には、シート４５を挟む。シート４５の透明カバー４２側の表面には、所定の色でカラー印刷を施す。  【効果】上扉４を前方（透明カバー４２側）から見た場合、透明カバー４２を介して、その後側に配置されたシート４５の表面を視認することができる。シート４５の表面を適当な色や模様にすれば、わざわざステンレス製のカバーなどを用いなくても、見た目をよくすることができる。【選択図】          図２
2004351192.tif 000002
【特許請求の範囲】
【請求項１】
食器洗い機に備えられた食器投入口を開閉するための食器洗い機用扉であって、
閉じたときに食器投入口に臨む内面と、この内面と反対側の外面とを有し、上記食器投入口を塞ぐための本体と、
上記本体の外面と対向する内面と、この内面と反対側の外面とを有し、上記本体の外面を覆うための透明カバーとを含み、
上記透明カバーの内面が塗装されていることを特徴とする食器洗い機用扉。
【請求項２】
食器洗い機に備えられた食器投入口を開閉するための食器洗い機用扉であって、
閉じたときに食器投入口に臨む内面と、この内面と反対側の外面とを有し、上記食器投入口を塞ぐための本体と、
上記本体の外面と対向する内面と、この内面と反対側の外面とを有し、上記本体の外面を覆うための透明カバーと、
上記本体の外面と上記透明カバーの内面との間に配置された所定の色のシートとを含むことを特徴とする食器洗い機用扉。
【請求項３】
上記透明カバーの内面は、滑らかな面で形成されていることを特徴とする請求項２記載の食器洗い機用扉。
【請求項４】
上記シートは、部分的に厚みが増加されることにより補強されていることを特徴とする請求項２または３記載の食器洗い機用扉。
【請求項５】
上記シートの上記透明カバー側の面には、その表面を粗くするための処理が施されていることを特徴とする請求項２〜４のいずれかに記載の食器洗い機用扉。
【請求項６】
上記本体の外面の外縁部には、係止枠が形成されていて、
上記透明カバーは、上記本体に対して上記係止枠により取り付けられていることを特徴とする請求項１〜５のいずれかに記載の食器洗い機用扉。
【請求項７】
上記透明カバーの内面の外縁部には、上記本体側に突出し、上記透明カバーの内面と上記本体の外面との間に水が浸入するのを防止するための水浸入防止用リブが形成されていることを特徴とする請求項１〜６のいずれかに記載の食器洗い機用扉。
【請求項８】
上記透明カバーは、その厚みが所定の厚みにされ、かつ、その外面の外縁は凸湾曲面とされていて、内面の外縁部には位置決め用または係止用の突起が設けられており、この突起が、透明カバーを外面側から見たときに当該突起が見えない死角に入るように、透明カバーの厚みと突起の位置とが関係付けられていることを特徴とする請求項１〜７のいずれかに記載の食器洗い機用扉。
【請求項９】
上記透明カバーには、その内面に位置決め用または係止用の突起が設けられており、この突起の表面が上記本体の色よりも明るい色で着色されていることを特徴とする請求項１〜７のいずれかに記載の食器洗い機用扉。
【請求項１０】
上記本体には、上記食器洗い機内の蒸気を排出するための排気口が形成されており、
上記透明カバーには、上記排気口に対応する位置に開口が形成されていることを特徴とする請求項１〜９のいずれかに記載の食器洗い機用扉。
【請求項１１】
上記透明カバーは、上記本体の外面における上記排気口の上側部分を覆わない形状であることを特徴とする請求項１０記載の食器洗い機用扉。
【請求項１２】
上記本体の外面における上記排気口の上側部分は、当該食器洗い機用扉を閉じた状態で、上記排気口から遠ざかるにつれて上記食器投入口側に近づくように傾斜していることを特徴とする請求項１０または１１記載の食器洗い機用扉。
【請求項１３】
洗浄すべき食器を収容するための洗浄室と、
上記洗浄室内に食器を出し入れするための食器投入口と、
上記食器投入口を開閉するための請求項１〜１２のいずれかに記載の食器洗い機用扉とを含むことを特徴とする食器洗い機。
【発明の詳細な説明】
【技術分野】
【０００１】
この発明は、食器洗い機に関し、特に、食器洗い機に備えられた食器投入口を開閉するための食器洗い機用扉に関する。
【背景技術】
【０００２】
従来から、洗浄室内に収容された食器に向けて洗浄水（たとえば、洗浄剤が混入した温水）を噴射することにより食器を洗浄することができる食器洗い機が知られている。食器は、たとえば、食器洗い機の前面に形成された食器投入口を介して洗浄室内に出し入れされる。
食器投入口は、たとえば、上下に並べて配置された２枚の扉（上扉および下扉）により覆われている。上扉は、その上端縁を中心にして手前上方に回動可能となっていて、下扉は、その下端縁を中心にして手前下方に回動可能となっている。
【０００３】
この種の食器洗い機の中には、たとえば、扉の前面（食器投入口と反対側の面）がステンレス製のカバーにより構成されているものがある（たとえば、特許文献１参照）。このようなステンレス製のカバーで扉の前面を構成すれば、清潔感があって、見た目がよい。
【特許文献１】特開２００１−３２１３１３号公報
【発明の開示】
【発明が解決しようとする課題】
【０００４】
ステンレス製のカバーは、塗装すると質感が失われてしまうため、通常、塗装を施すことなく用いられる。しかしながら、最近では、食器洗い機のほとんどが上記のようなステンレス製のカバーを備えた扉を採用しているため、扉の外観のバリエーションに乏しいという問題があった。
この発明は、かかる背景のもとでなされたもので、外観のバリエーションを多様化でき、かつ見た目のよい食器洗い機用扉およびこれを備えた食器洗い機を提供することを目的とする。
【課題を解決するための手段】
【０００５】
上記目的を達成するための請求項１記載の発明は、食器洗い機（１）に備えられた食器投入口（３）を開閉するための食器洗い機用扉（４，４Ａ，４Ｂ，４Ｃ）であって、閉じたときに食器投入口に臨む内面と、この内面と反対側の外面とを有し、上記食器投入口を塞ぐための本体（４１，４１Ａ，４１Ｂ，４１Ｃ）と、上記本体の外面と対向する内面と、この内面と反対側の外面とを有し、上記本体の外面を覆うための透明カバー（４２，４２Ａ，４２Ｂ，４２Ｃ，４２Ｄ，４２Ｅ，４２Ｆ，４２Ｇ）とを含み、上記透明カバーの内面が塗装されていることを特徴とする食器洗い機用扉である。
【０００６】
また、請求項２記載の発明は、食器洗い機（１）に備えられた食器投入口（３）を開閉するための食器洗い機用扉（４，４Ａ，４Ｂ，４Ｃ）であって、閉じたときに食器投入口に臨む内面と、この内面と反対側の外面とを有し、上記食器投入口を塞ぐための本体（４１，４１Ａ，４１Ｂ，４１Ｃ）と、上記本体の外面と対向する内面と、この内面と反対側の外面とを有し、上記本体の外面を覆うための透明カバー（４２，４２Ａ，４２Ｂ，４２Ｃ，４２Ｄ，４２Ｅ，４２Ｆ，４２Ｇ）と、上記本体の外面と上記透明カバーの内面との間に配置された所定の色のシート（４５）とを含むことを特徴とする食器洗い機用扉である。
【０００７】
なお、括弧内の英数字は、後述の実施形態における対応構成要素などを表す。以下、この項において同じ。
請求項１または２の構成によれば、食器洗い機用扉を前方（透明カバー側）から見た場合、透明カバーを介して、その後側に形成された塗装面またはシートの表面を視認することができる。したがって、塗装面またはシートの表面を適当な色や模様にすれば、わざわざステンレス製のカバーなどを用いなくても、見た目をよくすることができる。
【０００８】
また、塗装面やシートの表面の色や模様を変更するだけで、食器洗い機用扉の外観を容易に変更することができるので、食器洗い機用扉の外観に複数種類のバリエーションを持たせる場合などに特に有利である。
さらに、食器洗い機用扉の表面が透明カバーにより構成されているので、食器洗い機用扉の表面を塗装する場合などと比較して、質感（厚み感）を向上でき、より見た目がよい。
【０００９】
上記透明カバー側から固定具（４６３）が取り付けられることにより、上記本体と上記透明カバーとが固定されるような構成であってもよいし、上記本体側から固定具（４７５）が取り付けられることにより、上記本体と上記透明カバーとが固定されるような構成であってもよい。
上記透明カバー（４２）の内面から突出する部材（リブや係合部など）は、当該透明カバーの縁部分（外縁や開口の縁など）に形成されていることが好ましい。
【００１０】
この場合、係合部（係合片４２６）やリブ（環状リブ４２２）などの透明カバーから突出する部材が、透明カバーの縁部分に配置されているので、透明カバーを前方（本体と反対側）から見たときに透けて見える上記のような裏側から突出する部材の肉厚部分を、目立たなくすることができる。したがって、食器洗い機用扉の見た目をさらによくすることができる。
【００１１】
請求項３記載の発明は、上記透明カバー（４２，４２Ａ，４２Ｂ，４２Ｃ，４２Ｄ，４２Ｅ，４２Ｆ，４２Ｇ）の内面は、（小さな凹凸のない）滑らかな面で形成されていることを特徴とする請求項２記載の食器洗い機用扉（４，４Ａ，４Ｂ，４Ｃ）である。
この構成によれば、シートを透明カバーの裏面全体にむらなく密着させることができるので、シートと透明カバーとの間に隙間が生じて見た目が悪くなるのを防止できる。
【００１２】
請求項４記載の発明は、上記シート（４５）は、部分的に厚みが増加されることにより補強されていることを特徴とする請求項２または３記載の食器洗い機用扉（４，４Ａ，４Ｂ，４Ｃ）である。
たとえば、本体の外面と透明カバーの内面とがそれぞれ曲面を含む場合などには、当該食器洗い機用扉の熱変形などに起因して、本体の外面と透明カバーの内面との距離が不均一になるとともに、シートに対して撓む方向に力が作用する場合がある。この場合、本体と透明カバーとの隙間が比較的大きい部分でシートが撓み、見た目が悪くなるおそれがある。
【００１３】
この発明の構成によれば、シートが撓みやすい部分の厚みを増加させて補強することにより、その部分を撓みにくくすることができる。したがって、本体と透明カバーとの間に挟まれたシートが撓んで見た目が悪くなるのを防止できる。
上記シート（４５）は、上記本体（４１，４１Ａ，４１Ｂ，４１Ｃ）側の面に補強部材（４５３，４５４）が貼り付けられることにより補強されていてもよい。この補強部材は、たとえば、シール状のものや板状のものであってもよく、可撓性を有する部材であることが好ましい。
【００１４】
この場合、上記補強部材（４５３，４５４）の厚み（たとえば、０．３ｍｍ程度）は、上記シート（４５）の厚み（たとえば、０．２ｍｍ程度）よりも厚いものであることが好ましい。
上記本体（４１，４１Ａ，４１Ｂ，４１Ｃ）には、上記食器洗い機（１）内の蒸気を排出するための排気口（７）が形成されており、上記シート（４５）には、上記排気口に対応する位置に開口（４５１）が形成されていて、この開口の周囲の厚みが増加されることにより補強されていてもよい。また、上記シート（４５）は、上記開口の上方における上記本体（４１，４１Ａ，４１Ｂ，４１Ｃ）側の面に、当該シートの左端部から右端部まで補強部材（４５３，４５４）が貼り付けられることにより補強されていてもよい。
【００１５】
この場合、排気口から排出される蒸気に起因して開口の周囲において本体および透明カバーが変形しやすい。特に、排気口の周縁部において本体と透明カバーとが固定されていない場合には、この開口の周囲における本体と透明カバーとの隙間が広がりやすい。したがって、開口の周囲の厚みを増加させてシートを補強することにより、シートの撓みを効果的に抑制できる。
【００１６】
請求項５記載の発明は、上記シート（４５）の上記透明カバー（４２，４２Ａ，４２Ｂ，４２Ｃ，４２Ｄ，４２Ｅ，４２Ｆ，４２Ｇ）側の面には、その表面を粗くするための処理（たとえば、サンドブラスト処理や薬品を用いた処理などによるマット処理）が施されていることを特徴とする請求項２〜４のいずれかに記載の食器洗い機用扉（４，４Ａ，４Ｂ，４Ｃ）である。
【００１７】
透明カバーの内面およびシートの透明カバー側の面が滑らかである場合、透明カバーとシートとが密着する。このとき、本体と透明カバーとの隙間が不均一な場合には、当該食器洗い機用扉を正面側から見たときに、本体と透明カバーとの隙間が狭くてシートに対して比較的大きな圧力が生じている部分に虹色の模様（にじみ）が現れる場合がある。この場合、透明カバーとシートとの間に水が浸入しているように見えて、見栄えが悪い。
【００１８】
この発明の構成によれば、シートの透明カバー側の面を粗くして、透明カバーとシートとの密着度を低減させることができる。これにより、食器洗い機用扉を正面側から見たときに、透明カバーとシートとの間ににじみが現れて、見た目が悪くなるのを防止できる。
請求項６記載の発明は、上記本体（４１Ｃ）の外面の外縁部には、係止枠（４８５）が形成されていて、上記透明カバー（４２Ｇ）は、上記本体に対して上記係止枠により取り付けられていることを特徴とする請求項１〜５のいずれかに記載の食器洗い機用扉（４Ｃ）である。
【００１９】
この構成によれば、透明カバーと本体とを固定するために固定具を用いる必要がないので、透明カバーの本体に対する取り付けが容易であり、見た目もよい。
請求項７記載の発明は、上記透明カバー（４２）の内面の外縁部（たとえば、左右側縁部）には、上記本体（４１）側に突出し、上記透明カバーの内面と上記本体の外面との間に水が浸入するのを防止するための水浸入防止用リブ（４２５）が形成されていることを特徴とする請求項１〜６のいずれかに記載の食器洗い機用扉（４）である。
【００２０】
この構成によれば、本体と透明カバーとの隙間から水が浸入しようとした場合に、水浸入防止用リブによって水の浸入を阻止することができる。したがって、透明カバーとシートとの間に水が入り込んで食器洗い機用扉の見た目が悪くなるのを防止できる。
上記水浸入防止用リブ（４２５）を伝って落下する水を排出させるための水抜き孔（４２８）を含むような構成であれば、本体と透明カバーとの隙間から浸入しようとして水浸入防止用リブによってその浸入が阻止された水が、当該水浸入防止用リブを伝って水抜き孔から排出される。したがって、透明カバーとシートとの間に水が入り込むのをより確実に防止できる。
【００２１】
請求項８記載の発明は、上記透明カバー（４２，４２Ａ）は、その厚みが所定の厚みにされ、かつ、その外面の外縁は凸湾曲面（４２９）とされていて、内面の外縁部には位置決め用または係止用の突起（４２６）が設けられており、この突起が、透明カバーを外面側から見たときに当該突起が見えない死角に入るように、透明カバーの厚みと突起の位置とが関係付けられていることを特徴とする請求項１〜７のいずれかに記載の食器洗い機用扉（４）である。
【００２２】
たとえば、係合部の前方から凸湾曲面を見た場合、凸湾曲面を介した光の反射によって、突起よりも内側の部分で反射した光が視界に入るようになっていて、突起内を通過する光は視界に入らないようになっている。
この発明の構成によれば、凸湾曲面を介して視界に入る光が透明カバー内を通過する距離は、凸湾曲面でない部分を介して視界に入る光が透明カバー内を通過する距離とほとんど変わらないので、この凸湾曲面を介して突起部分が暗く見えたりすることがなく、見た目がよい。
【００２３】
上記突起（４２６）は、上記本体と係合する爪部を備えていてもよいし、上記本体に形成された爪部（４４２Ｃ）に係合するフック部（４２６Ａ）を備えていてもよい。
また、上記突起（４２６）は、上記本体（４１）に形成された挿通孔（４４２Ｂ）内に一方側から挿入されることにより上記本体に係合するものであって、上記本体内には、上記挿通孔の他方側を覆う傘部材（４４４）が配置されていてもよい。
【００２４】
この場合、挿通孔の他方側（本体の内方側）が傘部材により覆われているので、本体内に浸入した水が挿通孔内に流入するのを防止できる。したがって、挿通孔内に水が流入し、その水が透明カバーとシートとの間に入り込んで食器洗い機用扉の見た目が悪くなるのを防止できる。
請求項９記載の発明は、上記透明カバー（４２，４２Ａ，４２Ｂ）には、その内面に位置決め用または係止用の突起（４２６）が設けられており、この突起の表面が上記本体（４１）の色よりも明るい色で着色されていることを特徴とする請求項１〜７のいずれかに記載の食器洗い機用扉（４）である。
【００２５】
この構成によれば、突起を介して視界に入る光が透明カバー内を通過する距離が、突起が設けられていない部分を介して視界に入る光が透明カバー内を通過する距離よりも長い場合でも、突起の表面が本体よりも明るい色で着色されているので、突起を介して視界に入る光量が多くなり、突起部分が比較的明るく見える。これにより、突起部分が暗く見えるのを防止できるので、見た目がよい。
【００２６】
上記突起（４２６）の表面は、上記本体（４１）の色と同系色のより明るい色で着色されていることが好ましい。
請求項１０記載の発明のように、上記本体（４１）には、上記食器洗い機（１）内の蒸気を排出するための排気口（７）が形成されており、上記透明カバー（４２）には、上記排気口に対応する位置に開口（４２１）が形成されていてもよい。
【００２７】
この場合、請求項１１記載の発明のように、上記透明カバー（４２Ｃ，４２Ｄ）は、上記本体（４１）の外面における上記排気口（７）の上側部分を覆わない形状であれば、排気口から上方に排出された蒸気が、透明カバーと本体との間に入り込むのを防止できる。したがって、透明カバーとシートとの間に水滴が入って見た目が悪くなるのを防止できる。
【００２８】
請求項１２記載の発明のように、上記本体（４１）の外面における上記排気口（７）の上側部分は、当該食器洗い機用扉（４）を閉じた状態で、上記排気口から遠ざかるにつれて上記食器投入口側に近づくように傾斜しているような構成であっても、排気口から上方に排出された蒸気が透明カバーと本体との間に入り込んで、見た目が悪くなるのを効果的に防止できる。
【００２９】
また、上記本体（４１）には、上記透明カバー（４２）側に突出し、その内周面が上記排気口（７）を構成する環状突部（４３１）が備えられており、上記環状突部は、上記開口（４２１）を通って、上記透明カバーの外面から張り出しているような構成であっても、排気口から上方に排出された蒸気が透明カバーと本体との間に入り込んで、見た目が悪くなるのを効果的に防止できる。
【００３０】
さらに、上記透明カバー（４２）の上記開口（４２１）の周縁部に、上記本体（４１）側に突出する環状リブ（４２２）が形成されているような構成であっても、排気口から上方に排出された蒸気が透明カバーと本体との間に入り込んで、見た目が悪くなるのを効果的に防止できる。
上記本体は、その外面を構成する外面板（４４）を有し、この外面板の上記排気口に対応する位置には貫通孔（４４１）が形成されていて、上記環状リブは、上記貫通孔を介して、上記外面板の内面から張り出している（上記外面板の厚さ以上折れ曲がるように形成されている）ような構成であることが好ましい。
【００３１】
請求項１３記載の発明は、洗浄すべき食器を収容するための洗浄室（９）と、上記洗浄室内に食器を出し入れするための食器投入口（３）と、上記食器投入口を開閉するための請求項１〜１２のいずれかに記載の食器洗い機用扉（４，４Ａ，４Ｂ，４Ｃ）とを含むことを特徴とする食器洗い機（１）である。
この構成によれば、請求項１〜１２のいずれかに記載の食器洗い機用扉を備えた食器洗い機を提供できる。したがって、外観のバリエーションを多様化でき、かつ見た目のよい食器洗い機を提供することができる。
【発明を実施するための最良の形態】
【００３２】
以下には、図面を参照して、本発明の実施形態について具体的に説明する。
図１は、この発明の一実施形態に係る食器洗い機１を手前側斜め上方から見た斜視図である。
図１を参照して、この食器洗い機１は、その外形が略矩形のキャビネット２により区画されている。キャビネット２の内部は、たとえば、洗浄すべき食器を収容するための洗浄室９となっていて、この洗浄室９内に食器を収容した状態で運転を開始すると、当該洗浄室９内に配置されたノズル（図示せず）から食器に向けて洗浄水（たとえば、洗浄剤が混入した温水）が噴射され、食器が洗浄される。この食器洗い機１は、たとえば、乾燥機能も有していて、洗浄後の食器を温風で乾燥させることができるようになっている。
【００３３】
キャビネット２の前面は、洗浄室９内に食器を出し入れするための食器投入口３となっている。この食器投入口３は、たとえば、キャビネット２に対して回動可能に取り付けられた２枚の扉（上扉４および下扉５）により覆うことができるようになっている。上扉４は食器投入口３の上半分程度を覆い、下扉５は食器投入口３の下半分程度を覆うものであって、それぞれ前方に向かって凸湾曲した形状となっている。上扉４は、手前上方に回動可能となっていて、下扉５は、手前下方に回動可能となっている。これらの上扉４および下扉５を閉じた状態では、食器投入口３が覆われて、洗浄室９が水密に塞がれる。
【００３４】
下扉５の上端部中央には、たとえば、当該下扉５を開く際にユーザが把持するための把持部６が取り付けられている。ユーザは、把持部６を掴んで手前側に引くことにより、下扉５を手前下方に回動させることができる。上扉４は、たとえば、下扉５が回動するのに伴って回動するようになっていて、下扉５を開くと、それに伴って上扉４が開かれ、下扉５を閉じると、それに伴って上扉４が閉じられるようになっている。
【００３５】
上扉４の上部中央には、たとえば、洗浄室９内に連通する排気口７が、左右方向に長く延びるように形成されている。洗浄室９内で高温の洗浄水を噴射した場合や乾燥時などには、排気口７から蒸気を排気することができる。
キャビネット２の前面下部には、当該食器洗い機１の運転を開始させたり、洗浄コースを設定したりする際にユーザによって操作される操作パネル８が配置されている。
【００３６】
図２は、上扉４の縦断面を右側から見た図であって、排気口７近傍の構成のみ示している。
図２を参照して、上扉４は、たとえば、食器投入口３を開閉するための本体４１と、本体４１の前面側（食器投入口３と反対側）を覆う透明カバー４２とを備えている。本体４１は、たとえば、上扉４を閉じた状態で食器投入口３に臨む内面を構成する内面板４３と、本体４１の外面（前面）を構成する外面板４４とを有している。内面板４３は、たとえば、ＰＰ（polypropylene）により形成されていて、外面板４４は、たとえば、ＡＢＳ（acrylonitrile butadiene styrene）により形成されている。
【００３７】
内面板４３には、たとえば、前方に突出するように屈曲形成された環状突部４３１が備えられていて、この環状突部４３１の内面により排気口７が形成されている。外面板４４および透明カバー４２には、それぞれ、内面板４３の環状突部４３１に対応する位置に開口４４１，４２１が形成されている。環状突部４３１は、開口４４１，４２１に挿通されて、その先端が前方（透明カバー４２の前面よりも前方）に張り出している。
【００３８】
透明カバー４２は、たとえば、透明なＡＳ（acrylonitrile styrene）により形成されている。この実施形態では、たとえば、透明カバー４２と本体４１（外面板４４）との間にシート４５が挟まれた状態で、透明カバー４２が外面板４４に対して前方から取り付けられている。シート４５は、たとえば、ＰＥＴ（polyethylene terephthalate）により０．２ｍｍ程度の厚さに形成された可撓性を有する部材であって、外面板４４の表面（前面）に沿うように湾曲し、外面板４４の表面全体を覆っている。シート４５は透明であって、その外面板４４側の表面は、たとえば、所定の色でカラー印刷されている。
【００３９】
このような構成によれば、上扉４を前方（透明カバー４２側）から見た場合、透明カバー４２を介して、その後側に配置されたシート４５の表面を視認することができる。したがって、シート４５の表面を適当な色や模様にすれば、わざわざステンレス製のカバーなどを用いなくても、見た目をよくすることができる。
また、シート４５の表面の色や模様を変更するだけで、上扉４の外観を容易に変更することができるので、上扉４の外観に複数種類のバリエーションを持たせる場合などに特に有利である。
【００４０】
さらに、上扉４の表面が透明カバー４２により構成されているので、上扉４の表面を塗装する場合などと比較して、質感（厚み感）を向上でき、より見た目がよい。
この実施形態では、透明カバー４２の裏面（本体４１側の面）は、小さな凹凸のない滑らかな面で形成されている。これにより、シート４５を透明カバー４２の裏面全体にむらなく密着させることができるので、シート４５と透明カバー４２との間に隙間が生じて見た目が悪くなるのを防止できる。
【００４１】
ただし、透明カバー４２と外面板４４との間にシート４５を挟むような構成に限らず、たとえば、透明カバー４２の裏面を塗装するような構成であっても、上記効果と同等の効果が得られる。
透明カバー４２の開口４２１の周縁には、本体４１側に突出する環状リブ４２２が形成されている。この環状リブ４２２は、外面板４４の厚みよりも長く本体４１側に突出していて、その先端が外面板４４の裏面よりも後方に張り出している。
【００４２】
この実施形態では、上述したように上扉４が前方に凸湾曲した形状となっており、透明カバー４２および外面板４４の排気口７よりも上側の表面は、鉛直方向Ｖに対して所定角度αだけ後方に傾斜している。このような構成によれば、排気口７から上方に排出された蒸気が環状突部４３１と開口４２１との隙間を通って本体４１内に入るのを防止できる。
また、環状突部４３１の先端が透明カバー４２の前面よりも前方に張り出しているので、排気口７から上方に排出された蒸気が環状突部４３１と開口４２１との隙間を通って本体４１内に入るのを、より効果的に防止できる。
【００４３】
さらに、透明カバー４２の開口４２１の周縁に形成された環状リブ４２２が、外面板４４の裏面（少なくとも外面板４４の前面）よりも後方に張り出しているので、排気口７から上方に排出された蒸気が環状突部４３１と開口４２１との隙間を通って本体４１内に入るのを、さらに効果的に防止できる。
このように、排気口７から上方に排出された蒸気が環状突部４３１と開口４２１との隙間を通って本体４１内に入るのを効果的に防止できるので、本体４１内に水滴が入り、その水滴が透明カバー４２とシート４５との間に入り込んで上扉４の見た目が悪くなるのを防止できる。
【００４４】
シート４５には、透明カバー４２の環状リブ４２２に対応する位置に開口４５１が形成されており、シート４５を透明カバー４２と外面板４４との間に挟みこんだ状態では、環状リブ４２２が開口４５１内に挿通される。
透明カバー４２の上端縁部は、比較的大きな曲率で本体４１側に湾曲されることにより湾曲部４２０が形成されている。また、外面板４４の上端縁部は、透明カバー４２の湾曲部４２０に対向する位置で湾曲部４２０とほぼ同じ曲率で湾曲されることにより、湾曲部４４５が形成されている。シート４５の上端縁部は、各湾曲部４２０，４４５間の隙間まで延びていて、この隙間内において湾曲した状態で挟まれている。
【００４５】
この実施形態では、シート４５の上端縁部が各湾曲部４２０，４４５の曲率に合わせて予め湾曲されることにより湾曲部４５２が形成されている。これにより、上扉４の熱変形などに起因して、外面板４４と透明カバー４２との距離が不均一になった場合でも、シート４５の湾曲部４５２が予め湾曲された形状に形成されているので、当該湾曲部４５２が不自然に撓んで見た目が悪くなるのを防止できる。
【００４６】
ただし、シート４５は、その上端縁部が湾曲された形状に限らず、透明カバー４２および外面板４４が湾曲されている部分に対応する他の部分が湾曲された形状であってもよい。この場合、シート４５は、透明カバー４２の内面および外面板４４の外面の起伏に対応させて、シート４５全体が透明カバー４２および外面板４４に沿うように形成されていてもよい。
【００４７】
図３は、透明カバー４２の外観構成を示す図であって、図３（ａ）は背面図、図３（ｂ）は左側面図、図３（ｃ）は底面図をそれぞれ示している。
図３を参照して、透明カバー４２は、上扉４の外面板４４（シート４５）の表面に対向して配置される主板部４２３と、主板部４２３の外縁全体にわたって後方側（本体４１側）に突設された突出片４２４（上突出片４２４Ａ、下突出片４２４Ｂ、左突出片４２４Ｃおよび右突出片４２４Ｄ）とを備えている。
【００４８】
左突出片４２４Ｃおよび右突出片４２４Ｄの先端縁からは、当該突出片４２４Ｃ，４２４Ｄと同方向にさらに一定量突出するラビリンスリブ４２５が形成されている（図３（ｂ）参照）。各ラビリンスリブ４２５は、上下方向に沿って延びていて、その上下方向の所定位置（たとえば、等間隔の３箇所）には、後方側にさらに突出する係合片４２６が形成されている。一方、上突出片４２４Ａおよび下突出片４２４Ｂの先端縁には、その左右方向の所定位置（たとえば、等間隔の６箇所）から後方側に突出する係合片４２６が形成されている。各係合片４２６には、本体４１の外面板４４に係合して当該透明カバー４２を係止するための係合孔４２６Ａが形成されている。
【００４９】
透明カバー４２の開口４２１の周縁には、上述の通り、後方に突出する環状リブ４２２が形成されている。環状リブ４２２の先端縁の所定位置（たとえば、上側の中央部および下側の左右両端部）からは、さらに後方側に突出する突出片４２２Ａが形成されている。これらの突出片４２２Ａのうち、環状リブ４２２の下側の左右両端部に形成された突出片４２２Ａには、開口４２１の内方に向かって突出した爪部４２２Ｂが形成されている。透明カバー４２を本体４１に取り付けると、上記爪部４２２Ｂが、開口４２１に挿通された環状突部４３１の外周面に引っ掛かるようになっている。これにより、透明カバー４２が、排気口７の周囲で本体４１に対してしっかりと固定される。
【００５０】
この実施形態では、係合片４２６や環状リブ４２２などの透明カバー４２（主板部４２３）から突出する部材が、透明カバー４２の外縁や開口４２１の周縁部などの縁部分に配置されているので、透明カバー４２を前方から見たときに透けて見える上記のような裏側から突出する部材の肉厚部分を、目立たなくすることができる。したがって、上扉４の見た目をさらによくすることができる。
【００５１】
図４は、上扉４を左右方向に沿って切断したときの断面を上方から見たときの断面図である。図４（ａ）は、透明カバー４２の係合片４２６を通らないように上扉４を切断したときの断面図であって、図４（ｂ）は、透明カバー４２の係合片４２６を通るように上扉４を切断したときの断面図である。なお、上扉４の左右両端部の構成は同様であるので、図４では、上扉４の右端部の構成についてのみ説明する。
【００５２】
外面板４４は、内面板４３に対して所定の間隔を空けて対向する主面部４４２と、主面部４４２の端部から後方（内面板４３側）に突出し、本体４１の側面を構成する側面部４４３とを備えている。内面板４３は、側面部４４３の先端縁によって構成される開口４４３Ａ内に嵌め込まれることにより、外面板４４に取り付けられる。
図４（ａ）を参照して、外面板４４の主面部４４２の右端縁には、透明カバー４２のラビリンスリブ４２５に対応する位置に、当該ラビリンスリブ４２５の突出量と同程度の深さを有する凹部４４２Ａが形成されている。この凹部４４２Ａは、上下方向に延びるラビリンスリブ４２５に対応して、主板部４４２の右端縁を上下方向に延びている。この構成によれば、本体４１の外面板４４と透明カバー４２との隙間（右側）から水が浸入しようとした場合に、ラビリンスリブ４２５によって水の浸入を阻止することができる。したがって、透明カバー４２とシート４５との間に水が入り込んで上扉４の見た目が悪くなるのを防止できる。ラビリンスリブ４２５によって浸入が阻止された水は、ラビリンスリブ４２５と凹部４４２Ａとの隙間を通って（ラビリンスリブ４２５を伝って）落下する。
【００５３】
次に図４（ｂ）を参照して、上記凹部４４２Ａのうち係合片４２６に対応する部分は外面板４４（主板部４４２）を貫通していて、これにより、係合片４２６を挿通するための挿通孔４４２Ｂが形成されている。この挿通孔４４２Ｂの周縁部の左側（側板部４４３と反対側）には、たとえば、右側（側板部４４３側）に向かって突出し、当該挿通孔４４２Ｂに挿通された係合片４２６の係合孔４２６Ａに係合する爪部４４２Ｃが形成されている。
【００５４】
外面板４４の側面部４４３の内面には、挿通孔４４２Ｂを覆うための傘部材４４４が突設されている。傘部材４４４には、挿通孔４４２Ｂの後方に所定の間隔を空けて対向する天板部４４４Ａと、天板部４４４Ａの上下両端部から主面部４４２側に延びる側板部４４４Ｂとが備えられていて、天板部４４４Ａと側板部４４４Ｂとにより囲まれた空間内に挿通孔４４２Ｂが位置している。このような構成によれば、外面板４４（側面部４４３）の開口４４３Ａと内面板４３との隙間から水が浸入した場合でも、挿通孔４４２Ｂが傘部材４４４により覆われているので、その水が挿通孔４４２Ｂ内に流入するのを防止できる。したがって、挿通孔４４２Ｂ内に水が流入し、その水が透明カバー４２とシート４５との間に入り込んで上扉４の見た目が悪くなるのを防止できる。
【００５５】
特に、上扉４を開いた状態では、内面板４３の表面が上方を向くような姿勢で上扉４が保持されるので、外面板４４（側面部４４３）の開口４４３Ａと内面板４３との隙間から浸入した水が挿通孔４４２Ｂ内に落下しやすいが、上記のように傘部材４４４を設けることにより、挿通孔４４２Ｂ内への水の流入を効果的に防止できる。
図５は、上扉４を下方から見た図であって、上扉４の左端部のみを示している。なお、上扉４の左右両端部の構成は同様であるので、図５では、上扉４の左端部の構成についてのみ説明する。
【００５６】
図５を参照して、透明カバー４２の下突出片４２４Ｂの左端部には、たとえば、段部４２７が形成されている。この段部４２７によって、本体４１の外面板４４と透明カバー４２との間に、略矩形の水抜き孔４２８が形成されている。本体４１の外面板４４と透明カバー４２との隙間から浸入しようとした水は、上述のように、ラビリンスリブ４２５によってその浸入が阻止され、ラビリンスリブ４２５に沿って落下することとなるが、このようにして上扉４の下端部に到達した水は、上記水抜き孔４２８を通って下方に排出される。したがって、透明カバー４２とシート４５との間に水が入り込むのをより確実に防止できる。
【００５７】
図６は、透明カバー４２の変形例を説明するための図であって、係合片４２６を通るように透明カバーを切断したときの断面図を示している。図６（ａ）は、この実施形態に係る透明カバー４２の端部の形状を示しており、図６（ｂ）は、第１変形例に係る透明カバー４２Ａの端部の形状を示しており、図６（ｃ）は、第２変形例に係る透明カバー４２Ｂの端部の形状を示している。
【００５８】
図６（ａ）〜（ｃ）に示す透明カバー４２，４２Ａ，４２Ｂの前面の端部は、主板部４２３および突出片４２４の各表面を所定の曲率で滑らかに連結する凸湾曲面４２９となっている。透明カバー４２，４２Ａ，４２Ｂを本体４１に取り付けるための係合片４２６は、凸湾曲面４２９の後方に配置されている。透明カバー４２，４２Ａ，４２Ｂを前方から見た場合、凸湾曲面４２９を介した光Ｌ１の屈折により、凸湾曲面４２９の実際に見ている部分の後方よりも内側の部分が見える。なお、凸湾曲面４２９の先端近傍を手前側から見た場合には、当該凸湾曲面４２９に対する入射角が小さくなり、全反射条件が満たされることになるので、凸湾曲面４２９の先端近傍で全反射した外部の光Ｌ２が視界に入ることとなる。
【００５９】
図６（ａ）に示す透明カバー４２では、係合片４２６が、透明カバー４２の凸湾曲面４２９を前方から見たときに当該係合片４２６が見えない死角に入るように、透明カバー４２の厚みと係合片４２６の位置とが関係付けられている。すなわち、係合片４２６の前方から凸湾曲面４２９を見た場合、係合片４２９よりも内側の部分（内側の凸湾曲面４２９Ａ近傍）で反射した光Ｌ１が視界に入るようになっていて、係合片４２９内を通過する光は視界に入らない。この場合、凸湾曲面４２９を介して視界に入る光Ｌ１が透明カバー４２内を通過する距離は、凸湾曲面４２９でない部分（主板部４２３）を介して視界に入る光が透明カバー４２内を通過する距離とほとんど変わらないので、この凸湾曲面４２９を介して係合片４２６の部分が暗く見えたりすることがなく、見た目がよい。
【００６０】
図６（ｂ）に示す透明カバー４２Ａでも、図６（ａ）に示す透明カバー４２と同様に、係合片４２６が、透明カバー４２の凸湾曲面４２９を前方から見たときに当該係合片４２６が見えない死角に入るように、透明カバー４２Ａの厚みと係合片４２６の位置とが関係付けられている。すなわち、係合片４２６の前方から凸湾曲面４２９を見た場合、係合片４２６よりも内側の部分で反射した光Ｌ１が視界に入るようになっていて、係合片４２９内を通過する光は視界に入らない。この場合、凸湾曲面４２９を介して視界に入る光Ｌ１が透明カバー４２Ａ内を通過する距離は、凸湾曲面４２９でない部分（主板部４２３）を介して視界に入る光が透明カバー４２Ａ内を通過する距離とほとんど変わらないので、この凸湾曲面４２９を介して係合片４２６の部分が暗く見えたりすることがなく、見た目がよい。
【００６１】
図６（ａ）および（ｂ）に示す透明カバー４２，４２Ａのように、係合片４２６が死角に位置する構成に限らず、透明カバーから本体４１側に突出する他の突起（たとえば、位置決め用の突起）が死角に位置するような構成であってもよい。
図６（ｃ）に示す透明カバー４２Ｂでは、図６（ａ）および（ｂ）に示す透明カバー４２，４２Ａとは異なり、凸湾曲面４２９を介して透明カバー４２Ｂを前方から見た場合に視界に入る位置に係合片４２６が配置されている。すなわち、係合片４２６の前方から凸湾曲面４２９を見た場合、係合片４２６内を通過する光Ｌ１が視界に入るようになっている。この場合、凸湾曲面４２９を介して視界に入る光Ｌ１が透明カバー４２Ｂ内を通過する距離は、凸湾曲面４２９でない部分（主板部４２３）を介して視界に入る光が透明カバー４２Ｂ内を通過する距離よりも長くなるので、この凸湾曲面４２９を介して見える係合片４２６の部分が暗く見える。
【００６２】
透明カバー４２，４２Ａ，４２Ｂの係合片４２６の表面は、塗料などを用いて白色に着色されていてもよい。この場合、本体４１の外面板４４は灰色であってもよい。このように、係合片４２６の表面が本体４１の色よりも明るい色（より好ましくは、本体４１の色と同系色のより明るい色）で着色されていれば、図６（ｃ）のように係合片４２６を介して視界に入る光が透明カバー４２Ｂ内を通過する距離が、係合片４２６が設けられていない部分を介して視界に入る光が透明カバー４２内を通過する距離よりも長い場合でも、係合片４２６を介して視界に入る光量が多くなり、係合片４２６の部分が比較的明るく見える。このような構成によっても、係合片４２６の部分が暗く見えるのを防止できるので、見た目がよい。
【００６３】
ただし、係合片４２６の表面が着色された構成に限らず、透明カバーから本体４１側に突出する他の突起（たとえば、位置決め用の突起）の表面が着色されたような構成であってもよい。
図７は、シート４５の背面図である。
図７を参照して、シート４５の背面（本体４１側の面）には、その開口４５１の周囲に、シート４５の厚みを増加させて補強するための補強シール４５３，４５４が貼り付けられている。補強シール４５３，４５４は、可撓性を有する部材であって、その厚みがシート４５の厚みよりも厚く（たとえば、０．３ｍｍ程度）形成されている。
【００６４】
補強シール４５３は、左右方向に長尺形状であって、開口４５１の上方を当該開口４５１の上端縁に沿って左端から右端まで延びている。一方、補強シール４５３は、開口４５１の左右両側にそれぞれ配置され、開口４５１の側方に位置する第１シール部４５４Ａと、第１シール部４５４Ａの上端から左右方向に延びる第２シール部４５４Ｂとを含む略Ｌ字状に形成されている。第２シール部４５４Ｂは、補強シール４５３と同一直線上に延びており、補強シール４５３と各補強シール４５４の第２シール部４５４Ｂとにより、シート４５の開口４５１の上方が当該シート４５の左端部から右端部まで補強された状態となっている。
【００６５】
この実施形態では、排気口７から排出される蒸気に起因して、開口４５１の周囲において外面板４４および透明カバー４２が変形しやすい。特に、開口４５１の下方では、爪部４２２Ｂと環状突部４３１の外周面との係合によって透明カバー４２が本体４１に固定されているのに対し、開口４５１の上方では、透明カバー４２が本体４１に固定されていないので、開口４５１の上方における透明カバー４２と本体４１との隙間が広がりやすい。この場合、透明カバー４２と本体４１との隙間が比較的大きい部分でシート４５が撓み、見た目が悪くなるおそれがある。
【００６６】
したがって、上記のように開口４５１の周囲（特に、上方）を補強シール４５３で補強することにより、本体４１と透明カバー４２との間に挟まれたシート４５が撓んで見た目が悪くなるのを防止できる。
ただし、各補強シール４５３，４５４は、一体的に形成されていてもよい。また、シート４５に対して補強シールを貼り付ける部分は、開口４５１の上方および側方に限らず、開口４５１の周囲全体に補強シールが貼り付けられていてもよいし、開口４５１の周囲以外のシート４５が撓みやすい部分に補強シールが貼り付けられていてもよい。
【００６７】
シート４５を補強するためにシート４５の背面に貼り付けられる補強部材は、シール状のものに限らず、たとえば、板状のものであってもよい。また、シート４５の背面に補強部材を貼り付けるような構成に限らず、たとえば、シート４５自体の厚みを部分的に厚く形成してもよい。
透明カバー４２の内面およびシート４５の透明カバー４２側の面が滑らかである場合、透明カバー４２とシート４５とが密着する。このとき、外面板４４と透明カバー４２との隙間が不均一な場合には、当該上扉４を正面側から見たときに、外面板４４と透明カバー４２との隙間が狭くてシート４５に対して比較的大きな圧力が生じている部分に虹色の模様（にじみ）が現れる場合がある。この場合、透明カバー４２とシート４５との間に水が浸入しているように見えて、見栄えが悪い。
【００６８】
そこで、この実施形態では、シート４５の透明カバー４２側の面には、その表面を粗くするためのマット処理（サンドブラスト処理や薬品を用いた処理など）が施されている。このような構成によれば、シート４５の透明カバー４２側の面を粗くして、透明カバー４２とシート４５との密着度を低減させることができる。これにより、上扉４を正面側から見たときに、透明カバー４２とシート４５との間ににじみが現れて、見た目が悪くなるのを防止できる。
【００６９】
図８は、透明カバー４２のさらに別の変形例を説明するための図である。図８（ａ）は、第３変形例に係る透明カバー４２Ｃを備えた上扉４の正面図を示しており、図８（ｂ）は、第４変形例に係る透明カバー４２Ｄを備えた上扉４の正面図を示している。
図８（ａ）に示す透明カバー４２Ｃは、排気口７の下端縁に沿った左右方向の境界線Ｘ１よりも下方に位置している。すなわち、この透明カバー４２Ｃは、本体４１の上記境界線Ｘ１よりも下側の部分のみを覆っている。このような構成にすれば、排気口７から上方に排出された蒸気が、透明カバー４２Ｃと本体４１との間に入り込むのを防止できる。したがって、透明カバー４２Ｃとシート４５との間に水滴が入って見た目が悪くなるのを防止できる。
【００７０】
図８（ｂ）に示す透明カバー４２Ｄは、排気口７の左右両側縁に沿って上方向に延びる境界線Ｘ２よりも内側（中央側）に位置しないようになっている。すなわち、この透明カバー４２Ｄは、排気口７の上側部分を除く本体４１の表面を覆っている。このような構成であっても、排気口７から上方に排出された蒸気が、透明カバー４２Ｄと本体４１との間に入り込むのを防止できる。したがって、透明カバー４２Ｄとシート４５との間に水滴が入って見た目が悪くなるのを防止できる。
【００７１】
図９〜図１１は、それぞれ、第２〜第４実施形態に係る上扉４Ａ，４Ｂ，４Ｃの構成を示す図である。各実施形態に係る上扉４Ａ，４Ｂ，４Ｃは、たとえば、第１実施形態に係る上扉４と同様に、食器投入口３を開閉するための本体４１Ａ，４１Ｂ，４１Ｃと、本体４１Ａ，４１Ｂ，４１Ｃの前面側（食器投入口３と反対側）を覆う透明カバー４２Ｅ，４２Ｆ，４２Ｇとを備えていて、透明カバー４２Ｅ，４２Ｆ，４２Ｇと本体４１Ａ，４１Ｂ，４１Ｃとの間には、シート（図示せず）が挟まれている。上扉４Ａ，４Ｂ，４Ｃの上部中央には、洗浄室９内の蒸気を機外に排出するための排気口７が、左右方向に長く延びるように形成されている。
【００７２】
図９（ａ）は、第２実施形態に係る上扉４Ａを手前側斜め上方から見た概略斜視図であり、図９（ｂ）は、Ａ−Ａ線に沿った概略断面図である。
図９を参照して、第２実施形態に係る上扉４Ａでは、透明カバー４２Ｅが本体４１Ａの前面全体を覆うように前方から取り付けられる。透明カバー４２Ｅは平板状であって、その裏面（本体４１Ａ側の面）の外縁部には、本体４１Ａ側に突出する突出部４６１が形成されている。この突出部４６１が、本体４１Ａの前面の外縁部に形成された凹部４６２内に嵌め込まれることにより、透明カバー４２Ｅが本体４１Ａに対して位置決めされる。
【００７３】
透明カバー４２Ｅの４隅（突出部４６１よりも内側）には、たとえば、当該透明カバー４２Ｅと本体４１Ａとを固定するピン４６３を挿入するための貫通孔４６４が形成されている。また、本体４１Ａの上記貫通孔４６４に対向する位置には、貫通孔４６５が形成されている。ピン４６３は、頭部４６３Ａと軸部４６３Ｂとを有しており、軸部４６３Ｂの先端には、当該軸部４６３Ｂの周面よりも外方に拡がるように形成された弾性変形部４６３Ｃが備えられている。
【００７４】
透明カバー４２Ｅの前方から貫通孔４６４，４６５にピン４６３を挿入すると、ピン４６３の先端に形成された弾性変形部４６３Ｃが内方（軸部４６３Ｂ側）に弾性変形する。そして、ピン４６３の軸部４６３Ｂが、透明カバー４２Ｅの貫通孔４６４および本体４１Ａの貫通孔４６５を通ってさらに押し込まれ、弾性変形部４６３Ｃが本体４１Ａの貫通孔４６５を通過すると、当該弾性変形部４６３Ｃが元の状態（軸部４６３Ｂの周面よりも外方に拡がった状態）に戻り、貫通孔４６５の周縁部に係合する。これにより、透明カバー４２Ｅと本体４１Ａとがピン４６３により固定される。
【００７５】
ピン４６３は、上扉４Ａの４隅に取り付けられるのではなく、たとえば、上扉４Ａの外縁に沿って多数（５つ以上）の位置に取り付けられていてもよい。
また、透明カバー４２Ｅと本体４１Ａとを固定するための固定具は、ピン４６３に限らず、たとえば、ねじなどであってもよい。この場合、本体４１Ａにねじを締め付けるためのねじ孔が形成されていてもよい。
【００７６】
図１０（ａ）は、第３実施形態に係る上扉４Ｂを手前側斜め上方から見た概略斜視図であり、図１０（ｂ）は、Ｂ−Ｂ線に沿った概略断面図である。
図１０を参照して、第３実施形態に係る上扉４Ｂでは、透明カバー４２Ｆが本体４１Ｂの前面全体を覆うように前方から取り付けられる。透明カバー４２Ｆは平板状であって、その裏面（本体４１Ｂ側の面）の外縁部には、本体４１Ｂ側に突出する突出部４７１が形成されている。本体４１Ｂの前面の外縁部には、透明カバー４２Ｆの突出部４７１を嵌め込むための凹部４６２が形成されている。また、透明カバー４２Ｆの裏面の４隅（突出部４７１よりも内側）には、たとえば、本体４１Ｂ側に向かって突出し、その内周面がねじ孔を構成する円筒突部４７２が形成されている。本体４１Ｂの上記円筒突部４７２に対向する位置には、当該円筒突部４７２に対応する形状の円筒凹部４７３が形成されている。透明カバー４２Ｆの突出部４７１および円筒突部４７２が、それぞれ本体４１Ｂの凹部４６２および円筒凹部４７３に嵌め込まれることにより、透明カバー４２Ｆが本体４１Ｂに対して位置決めされる。
【００７７】
透明カバー４２Ｆを本体４１Ｂに対して位置決めした後、本体４１Ｂの内側から円筒凹部４７３の底面に形成された貫通孔４７４にねじ４７５を通し、透明カバー４２Ｆの円筒突部４７２内に締め付けることにより、透明カバー４２Ｆと本体４１Ｂとが固定される。
ねじ４７５は、上扉４Ｂの４隅に取り付けられるのではなく、たとえば、上扉４Ｂの外縁に沿って多数（５つ以上）の位置に取り付けられていてもよい。
【００７８】
図１１（ａ）は、第４実施形態に係る上扉４Ｃを手前側斜め上方から見た概略斜視図であり、図１１（ｂ）は、上扉４Ｃの右下端部を斜め下方から見た概略斜視図である。
図１１を参照して、第４実施形態に係る上扉４Ｃでは、透明カバー４２Ｇが本体４１Ｃに対して下方からスライドされて取り付けられる。透明カバー４２Ｇは平板状であって、その下端面を除く周面（上端面および左右端面）には、当該透明カバー４２Ｇを本体４１Ｃに対してスライドさせる際のガイドとしての突出部４８１が形成されている。
【００７９】
本体４１Ｃの前面４８２は、たとえば、側面部４８３の先端（前端）よりも透明カバー４２Ｇの厚さ分だけ後方に位置していて、これにより、本体４１Ｃの前面側には、透明カバー４２Ｇを収容するための収容凹部４８４が形成されている。側面部４８３の先端部には、内方に向かって突出する係止枠４８５が形成されている。この係止枠４８５と本体４１Ｃの前面４８２との間の空間内を突出部４８１がスライドするように、透明カバー４２Ｇを下方から本体４１Ｃの収容凹部４８４内に挿入することにより、透明カバー４２Ｇが本体４１Ｃに対して取り付けられる。
【００８０】
この実施形態では、透明カバー４２Ｇと本体４１Ｃとを固定するために固定具を用いる必要がないので、透明カバー４２Ｇの本体４１Ｃに対する取り付けが容易であり、見た目もよい。
ただし、透明カバー４２Ｇを収容凹部４８４内にスライドさせて取り付けるのではなく、たとえば、爪部や固定具などを用いて、透明カバー４２Ｇを収容凹部４８４内に係止させるような構成であってもよい。
【００８１】
この発明は、以上の実施形態の内容に限定されるものではなく、請求項記載の範囲内において種々の変更が可能である。
たとえば、透明カバー４２，４２Ａ〜４２Ｇは、完全に透明である必要はなく、半透明であってもよい。
上記実施形態では、透明カバー４２，４２Ａ〜４２Ｇやシート４５を上扉４に適用した場合について説明したが、同様の構成を下扉５に適用することも可能である。
【００８２】
また、上記実施形態では、食器投入口３を２枚の扉（上扉４および下扉５）で覆うような構成の食器洗い機１について説明したが、この発明は、たとえば、食器投入口を一枚ものの扉で覆うような構成の食器洗い機にも適用可能である。
【図面の簡単な説明】
【００８３】
【図１】この発明の一実施形態に係る食器洗い機を手前側斜め上方から見た斜視図である。
【図２】上扉の縦断面を右側から見た図である。
【図３】透明カバーの外観構成を示す図である。
【図４】上扉を左右方向に沿って切断したときの断面を上方から見たときの断面図である。
【図５】上扉を下方から見た図である。
【図６】透明カバーの変形例を説明するための図である。
【図７】シートの背面図である。
【図８】透明カバーのさらに別の変形例を説明するための図である。
【図９】第２実施形態に係る上扉の構成を示す図である。
【図１０】第３実施形態に係る上扉の構成を示す図である。
【図１１】第４実施形態に係る上扉の構成を示す図である。
【符号の説明】
【００８４】
１  食器洗い機
３  食器投入口
４，４Ａ〜４Ｃ  上扉
７  排気口
９  洗浄室
４１，４１Ａ〜４１Ｃ  本体
４２，４２Ａ〜４２Ｇ  透明カバー
４５  シート
４２１  開口
４２５  ラビリンスリブ
４２６  係合片
４２９  凸湾曲面
４８５  係止枠
【図１】
2004351192.tif 000003
【図２】
2004351192.tif 000004
【図３】
2004351192.tif 000005
【図４】
2004351192.tif 000006
【図５】
2004351192.tif 000007
【図６】
2004351192.tif 000008
【図７】
2004351192.tif 000009
【図８】
2004351192.tif 000010
【図９】
2004351192.tif 000011
【図１０】
2004351192.tif 000012
【図１１】
2004351192.tif 000013